(57)【要約】【課題】  特別な編集用機器を用意しなくとも、簡単に、撮影画像に対し最適な範囲でのトリミングが可能なカメラ付き携帯端末を提供する。【解決手段】  被写体をその表示器に表示するカメラ付き携帯端末において、表示器に表示する、撮影範囲を示すフレーム枠を複数種類選択可能とし、カメラによる撮像により得られた画像データであって、選択されたフレーム枠の外の領域に対応する画像データに対し、０（ゼロ）との論理積をとることにより、選択されたフレーム枠内の領域に対応する画像データのみを有効とする。【選択図】        図９
2005006282.tif 000002
【特許請求の範囲】
【請求項１】
被写体をその表示器に表示するカメラ付き携帯端末において、
前記表示器に表示する、撮影範囲を示すフレーム枠を複数種類選択可能とし、
前記カメラによる撮像により得られた画像データであって、選択されたフレーム枠の外の領域に対応する画像データに対し、０（ゼロ）との論理積をとることにより、選択されたフレーム枠内の領域に対応する画像データのみを有効とする
ことを特徴とするカメラ付き携帯端末。
【請求項２】
フレーム枠の上下左右の方向を定めるマークをさらに表示する
ことを特徴とする請求項１に記載のカメラ付き携帯端末。
【請求項３】
前記有効な画像データまたは該有効な画像データを所定の変換規則に基づき変換したデータを、赤外線通信または無線通信により送出可能とした
ことを特徴とする請求項２に記載のカメラ付き携帯端末。
【請求項４】
被写体をその表示器に表示するカメラ付き携帯端末において、
前記カメラによる撮像により得られた画像上で前記表示器に表示する、撮影範囲を示すフレーム枠が重なる部分の画像データを、前記フレーム枠を示すデータに代え、撮像された画像のプリント時に前記フレーム枠もプリントされるようにした
ことを特徴とするカメラ付き携帯端末。
【請求項５】
前記フレーム枠を前記表示器に表示するためのフレーム枠データを複数種類記憶する記憶手段を備え、
前記記憶手段に記憶された複数種類のフレーム枠データを任意に選択可能とした
ことを特徴とする請求項４に記載のカメラ付き携帯端末。
【請求項６】
前記フレーム枠データの選択の際は、プリント上の所望サイズの枠のサイズをプリント時の画像の拡大比で除したサイズのフレーム枠データが選択される
ことを特徴とする請求項５に記載のカメラ付き携帯端末。
【請求項７】
前記フレーム枠が重なる部分の画像データを、前記フレーム枠を示すデータに代える際、フレーム枠に対応する所定の切り取り線データを画像データに重ね書きするか、または、フレーム枠外側を所定の余白データに置換しフレーム枠外側を余白とする
ことを特徴とする請求項４から請求項６のいずれかに記載のカメラ付き携帯端末。
【発明の詳細な説明】
【技術分野】
【０００１】
本発明は、カメラ付き携帯端末に関する。
【背景技術】
【０００２】
例えば、従来のカメラ付き携帯電話機のようなカメラ付き携帯端末では、そのモニタ画面をカメラ撮影時のファインダーの代わりとして使用することができるが、一般的に、撮影された画像の縦横比はモニタ画面の縦横比と同じ約４：３に限定されていた（図１９参照）。また、この縦横比で撮影されるため、図２０に示すように周辺の余分な部分が写真に写り込んでおり、画像データ数を増加させている。また、同図に示すようにバーコード自体を読み取ろうとする場合には、周辺の余分な部分は全く不要なものである。
【０００３】
一方、従来の銀塩フィルムを用いたカメラでは、トリミングプリント範囲をあらかじめ設定された複数種類の内から選択し指定できるものがある。特許文献１に記載の技術では、現在どの画面サイズが選択されているのかを容易に確認できるように、光学的ファインダー内にトリミング範囲を示す画面枠を表示し、モニタ画面にトリミング状態での画像表示を行わせている。そして、決定されたトリミング範囲の情報は、銀塩フィルムの情報記録部に記録され、プリントされる際、この情報を基にトリミングがなされる。
【特許文献１】特開２０００−３０５１５４号公報
【発明の開示】
【発明が解決しようとする課題】
【０００４】
銀塩フィルムを使った従来写真では、写真プリントの出来上がりサイズはＬ判の３．５×５インチ、キングサイズの４×６インチ、セミ判の４．５×６センチ、中判の６×６センチ、６×７センチ、ポラロイド判の３．５×３．５インチなど様々な縦横比フォーマットが存在し、記録写真、記念写真、証明写真、その他様々な撮影目的に応じてフォーマットを使い分けることができるが、従来のカメラ付き携帯電話機ように、縦横比のフォーマットが１種類であると、このフォーマットに関して撮影できる写真の種類（タイプ）が制限される。
【０００５】
また、証明写真の場合、履歴書、運転免許証申請、パスポート申請などの用途によって規格サイズが異なり、適正規格サイズの写真を得るためには写真店や証明写真ブースに出向いで撮影する必要があった。写真店などで撮影する場合、一般的には２枚や４枚セットでプリントされるが、必要な証明写真が１枚の場合、残りが無駄になりコストも高くつくものであった。また、写真撮影が１回限りのため、写真の仕上がりが多少気にいらなくても、コストも手間もかかるため撮り直しはせず、そのまま証明写真として使用していた。
【０００６】
また、従来のカメラ付き携帯電話機では、撮影時のフレーミングに制限があり、前述のように撮影対象物の周囲に余分なものが写りこむ場合があった。このため、撮影画像のフレームの編集をする場合には、別途、画像編集用の機器とソフトウェアを用意する必要があった。また、特許文献１に記載の技術では、トリミングプリント範囲を複数種類の中から選択できるが、この技術は銀塩フィルムを用いたカメラに関するものであって、銀塩フィルムの情報記録部にトリミング範囲の情報を記録し、プリントをする際に記録された情報をもとにトリミングを行うものであり、撮影時にトリミングを行うものではない。
【０００７】
本発明は、上記の点に鑑みてなされたもので、特別な編集用機器を用意しなくとも、簡単に、撮影画像に対し最適な範囲でのトリミングが可能なカメラ付き携帯端末を提供するものである。
【課題を解決するための手段】
【０００８】
請求項１に記載の発明は、被写体をその表示器に表示するカメラ付き携帯端末において、前記表示器に表示する、撮影範囲を示すフレーム枠を複数種類選択可能とし、前記カメラによる撮像により得られた画像データであって、選択されたフレーム枠の外の領域に対応する画像データに対し、０（ゼロ）との論理積をとることにより、選択されたフレーム枠内の領域に対応する画像データのみを有効とすることを特徴としている。
本発明では、使用者により選択されたフレーム枠が、被写体の画像とともに当該カメラ付き携帯端末の表示器に表示されるが、このフレーム枠外の画像データに対しては０（ゼロ）との論理積がとられ無効となり、フレーム枠内の画像データのみが有効となる。これにより、当該カメラ付き携帯端末にて、フレーム枠外の像が自動的にフレームアウトされた画像データを得ることができる。
【０００９】
また、請求項２に記載の発明は、請求項１に記載のカメラ付き携帯端末において、フレーム枠の上下左右の方向を定めるマークをさらに表示することを特徴としている。
本発明によれば、マークによりフレーム枠の上下左右の方向が定まるので、上下左右の方向が規定される被写体を撮像する際、その方向に合わせて撮像することができる。
【００１０】
また、請求項３に記載の発明は、請求項２に記載のカメラ付き携帯端末において、前記有効な画像データまたは該有効な画像データを所定の変換規則に基づき変換したデータを、赤外線通信または無線通信により送出可能としたことを特徴としている。
本発明によれば、前記有効な画像データそのものまたは、この画像データを所定の変換規則に基づいて変換したデータを、赤外線通信または無線通信可能な機器に与えることができる。なお、上記変換規則に基づく変換としては、例えば、被写体がバーコードである場合は、撮像されたバーコードの画像から画像処理を施し得られる輝度に基づくコントラストパターンデータへの変換や、さらにこのコントラストパターンデータを、使用するバーコードの規格に基づいてそのコード情報を得る変換や、前記マークにより定まるフレーム枠の上下左右の方向を基に撮像した画像データに所定の方向をもたせる変換（回転変換など）等が挙げられる。
【００１１】
また、請求項４に記載の発明は、被写体をその表示器に表示するカメラ付き携帯端末において、前記カメラによる撮像により得られた画像上で前記表示器に表示する、撮影範囲を示すフレーム枠が重なる部分の画像データを、前記フレーム枠を示すデータに代え、撮像された画像のプリント時に前記フレーム枠もプリントされるようにしたことを特徴としている。
【００１２】
また、請求項５に記載の発明は、請求項４に記載のカメラ付き携帯端末において、前記フレーム枠を前記表示器に表示するためのフレーム枠データを複数種類記憶する記憶手段を備え、前記記憶手段に記憶された複数種類のフレーム枠データを任意に選択可能としたことを特徴としている。
【００１３】
また、請求項６に記載の発明は、請求項５に記載のカメラ付き携帯端末において、前記フレーム枠データの選択の際は、プリント上の所望サイズの枠のサイズをプリント時の画像の拡大比で除したサイズのフレーム枠データが選択されることを特徴としている。
【００１４】
また、請求項７に記載の発明は、請求項４から請求項６のいずれかに記載のカメラ付き携帯端末において、前記フレーム枠が重なる部分の画像データを、前記フレーム枠を示すデータに代える際、フレーム枠に対応する所定の切り取り線データを画像データに重ね書きするか、または、フレーム枠外側を所定の余白データに置換しフレーム枠外側を余白とすることを特徴としている。
【発明の効果】
【００１５】
本発明によれば、撮影範囲を示すフレーム枠を複数種類選択でき、選択されたフレーム枠が被写体とともに表示されるので、多様な縦横比の写真フォーマットがある中、好みの写真フォーマットに対応するように撮影することができる。
また、特別な編集用機器を用意しなくとも、簡単に、撮影画像に対し最適な範囲でのトリミングが可能となる。
【００１６】
また、有効な画像データまたは該有効な画像データを所定の変換規則に基づき変換したデータを赤外線通信または無線通信により送出可能であるので、赤外線通信または無線通信によるデータ送信時のデータ量を抑えることができる。
また、撮像された画像のプリント時にフレーム枠もプリントされるので、このフレーム枠に沿って切り取ることで、証明写真等の適正サイズの写真を簡単に得ることができる。
【発明を実施するための最良の形態】
【００１７】
以下、本発明の実施の形態を、図面を参照して説明する。
図１は、本発明の一実施の形態であるカメラ付き携帯電話機の概略構成を示す図である。なお、本実施の形態では、カメラ付き携帯端末として、従来のカメラ付き携帯電話機を利用して構成するものとするが、携帯電話機に限らず、カメラ付きの、ＰＨＳ（登録商標）（Ｐｅｒｓｏｎａｌ ｈａｎｄｙｐｈｏｎｅ ｓｙｓｔｅｍ）や携帯情報端末（ＰＤＡ：Ｐｅｒｓｏｎａｌ Ｄｉｇｉｔａｌ Ａｓｓｉｓｔａｎｔ）等にも適用できるものである。
また、本発明の具体的な構成は以下に説明する実施形態に限られるものではなく、この発明の要旨を逸脱しない範囲の構成等も含まれる。
【００１８】
図１に示すように、カメラ付き携帯電話機１（以下、携帯電話機１と称す）は、携帯電話機能ブロック１０、イメージセンサー１１、ＩｒＤＡ送受信部１２、フレームＲＯＭ１３、コントローラ１４、ＲＯＭ１５、ＲＡＭ１６を備えている。携帯電話機能ブロック１０は、さらに、携帯電話機として無線通信網と通信をするための携帯電話通信モジュール１０ａと、入力手段としてのキーボード１０ｂと、表示手段としてのＬＣＤ表示パネル１０ｃを備えている。
【００１９】
イメージセンサー１１は、撮像素子であり、ＣＭＯＳイメージセンサーやＣＣＤイメージセンサーを用いることができる。ＩｒＤＡ送受信部１２は、ＩｒＤＡ（Ｉｎｆｒａｒｅｄ Ｄａｔａ Ａｓｓｏｃｉａｔｉｏｎ）規格に基づき構成され、同規格の赤外線通信機能をもつ他の機器と赤外線通信を行う無線インターフェースである。フレームＲＯＭ１３は、ＬＣＤ表示パネル１０ｃに撮影画像と重ねて表示する後述のフレーム枠（以下、フレームと称す）に関するデータ（縦・横のサイズ（長さまたはピクセル数）、表示位置等）が格納されている。
【００２０】
コントローラ１４は、コントロールプログラムにより携帯電話機１の各部を制御する（本発明に係る制御の詳細は後述する）。
また、同図に示すＲＯＭ１５には、上記コントロールプログラムの他、携帯電話機能ブロック１０で用いる着信音用の楽曲データ等各種データが格納されている。上記フレームＲＯＭ１３は、このＲＯＭ１５と共用してもよい。
また、ＲＡＭ１６には、コントローラ１４が用いるワークエリアや、撮像した画像の画像データを格納するエリアが設定されている。
以上のように、本実施の形態の携帯電話機１は、ＩｒＤＡ送受信部１２およびフレームＲＯＭ１３を備える点を除き、一般的なカメラ付き携帯電話機と同様の構成となっている。
【００２１】
ここで、上記フレームについて、図２〜７を参照し説明する。
ここでは、ＬＣＤ表示パネル１０ｃのサイズが縦４ｃｍ、横３ｃｍであるものとする。
まず、図２は、ＪＡＮ（Ｊａｐａｎｅｓｅ Ａｒｔｉｃｌｅ Ｎｕｍｂｅｒ）によるバーコード用フレームの表示例（太枠部分）である。同図（ａ）では縦方向に２．９８３ｃｍ、横方向に１．８２９ｃｍのフレームが表示されている。同図に示す矢印（太矢印）で示されるマークは、例えば、この矢印がある側が上部で、この矢印の向く方向が右側であるというように、この矢印を用いて、上下左右の関係を示すためのものである。なお、実際にバーコードを撮像する場合には、バーコードがこのフレーム内に入るように撮影することになる。同図（ｂ）は、ＬＣＤ表示パネル１０ｃの上方とフレームの上方とを同じくした場合（この場合、縦１．８３９ｃｍ，横３ｃｍ）の表示例である。
【００２２】
図３（ａ），（ｂ）は、拡張型バーコード用のフレーム表示例である。（ａ）に示すフレームは、縦４．００ｃｍ，横１．８２９ｃｍ、（ｂ）に示すフレームは、縦１．３７１ｃｍ，横３．００ｃｍとなっており、図２に示したものとは、縦横比が異なっている。図４は、ＱＲ（Ｑｕｉｃｋ Ｒｅｓｐｏｎｓｅ）コード等の２次元コード用のフレームの表示例である。この例でも、その向きを示す矢印（太矢印）とともにフレーム（太枠部分）を表示している。
また、図５、図６、図７はそれぞれ、スクエアタイプ（６×６判タイプ：縦横それぞれ３．００ｃｍ）用、セミ版タイプ（６×４．５版タイプ：縦３．００ｃｍ，横２．２５ｃｍ）用、シネマサイズ（ハーフ版サイズ：縦２．４ｃｍ，横１．８ｃｍ）用のフレーム表示例である。
【００２３】
次に、前述のように構成された本実施形態の携帯電話機１の動作について、図８，９を参照し説明する。
なお、図９に示すフローチャートは、一例として図８に示すイメージセンサー１１の出力データから（この例では、縦（Ｙ方向）１６ピクセル、横（Ｘ方向）２２ピクセルの画素数であるとする）、同図に示す座標（９，５）、（１６，５）、（９，１２）、（１６，１２）で囲まれる範囲（これがフレーム内に相当する）の画素を有効な画素とするトリミングを行う場合を説明するものである。他の種類のフレームに対しては、選択されたフレームに応じて、このフローチャート内の判断の部分に設定される定数値を適宜変更することで対応することができる。
また、以下の説明では、イメージセンサー１１からの出力データの読み出しは、図８に示す座標（Ｘ座標，Ｙ座標の組）の（１，１）、（２，１）〜（２２，１）、（１，２）、（２，２）〜（２２，２）、〜（１，１６）〜（２２，１６）の順番で行われるものとする。
【００２４】
はじめに、初期値として変数Ｘ，Ｙ，Ａ，Ｂにそれぞれ“１”を設定する（ステップＳ１０１）。なお、Ｘ，Ｙは、イメージセンサー１１のＸ座標、Ｙ座標に対応し、（Ｘ，Ｙ）はこのＸ座標、Ｙ座標の画素データ（イメージセンサー１１の出力データ）を意味する。またＡ，Ｂは、同様に上記Ｘ座標、Ｙ座標に対応するが、（Ａ，Ｂ）は、イメージセンサー１１から読み出された画素データであって、かつ有効化または無効化された画素データを意味する。
【００２５】
上記初期設定後、Ｘ＜９またはＸ＞１６であるか否か、すなわち当該画素がＸ軸方向に関しフレーム外であるか否か判断する（ステップＳ１０２）。
ステップＳ１０２の判断でＸ軸方向に関しフレーム外であると判定されると（この判断でＹＥＳの判定）、ステップＳ１０３に移行する。
一方、ステップＳ１０２の判断でＸ軸方向に関しフレーム内であると判定されると（この判断でＮＯの判定）、ステップＳ１０４に移行し、さらにＹ＜５またはＹ＞１２であるか否か、すなわち当該画素がＹ軸方向に関しフレーム外であるか否か判断する。
【００２６】
このステップＳ１０４の判断で、Ｙ軸方向に関しフレーム外であると判定されると（この判断でＹＥＳの判定）、ステップＳ１０３に移行する。
ステップＳ１０３では、（Ｘ，Ｙ）と全ビットが０（ゼロ）の“０”との論理積をとったデータを（Ａ，Ｂ）に代入し、このＸ，Ｙ座標の画素データを無効にする。
一方、ステップＳ１０４の判断で、Ｙ軸方向に関しフレーム内であると判定されると（この判断でＮＯの判定）、ステップＳ１０５に移行する。このとき、当該Ｘ，Ｙ座標の画素はフレーム内にある。
【００２７】
ステップＳ１０５では、（Ｘ，Ｙ）と全ビットが１の“１”との論理積をとったデータ（すなわちＸ，Ｙ座標の画素データ（Ｘ，Ｙ）そのもの）を（Ａ，Ｂ）に代入し、このＸ，Ｙ座標の画素データを有効にする。
以後、ステップＳ１０６、Ｓ１０８の判断と、ステップＳ１０７、Ｓ１０９において処理の対象とする画素データの座標を１ずつシフトすることにより、Ｙ軸方向の下限であるＹ＝１から上限であるＹ＝１６までのそれぞれに対し、Ｘ軸方向の下限であるＸ＝１から上限であるＸ＝２２まで、対応する上記画素データの有効化／無効化の処理を行う。
なお、ステップＳ１０３，Ｓ１０５における演算子“＊”は、論理積を表す。
【００２８】
以上のようにして、フレーム内に相当する（９，５）〜（１６，５）、（９，６）〜（１６，６）、〜（９，１２）〜（１６，１２）のイメージセンサー１１の出力データを読み出す場合には、これと全ビットが１の“１”との論理積をとることにより有効とし、一方、フレーム外の出力データを読み出す場合は、これと全ビットが０（ゼロ）の“０”との論理積をとることにより無効とする。
このように処理することで、例えば、図１０左側に示すようにバーコードを含む被写体の画像に対し、同図右側に示すようにフレームで囲まれたバーコード部分以外がフレームアウトされた画像データが得られる。
なお、上記で説明した動作フローは、前述のように具体的な一例を説明するものであって、本発明は上記の処理の流れに限定されるものではない。
【００２９】
次に、本実施の形態の携帯電話機１を利用する応用例について説明する（図１１参照）。
本応用例は、調理方法等を規定する調理条件（後述）に従って調理を行う下記のオーブン電子レンジ２に対し、この調理条件を示すバーコードを、本携帯電話機１を用いて撮像することにより読み取り、読み取ったバーコードの情報を赤外線通信によりオーブン電子レンジ２に与え、調理を実行させる調理システムの例である。
本応用例におけるオーブン電子レンジ２の構成は、以下の通りである。
【００３０】
図１２に、オーブン電子レンジ２の構成を示している。同図に示すように、オーブン電子レンジ２は、コントローラ２１、ＲＯＭ２２、ＲＡＭ２３、電子レンジ加熱ブロック２４、オーブン加熱ブロック２５、ＩｒＤＡ送受信部２６、日付タイマー２７、ＬＣＤタッチパネル２８、ブザー２９を備え、コントローラ２１と各デバイスは、バスまたは信号線により接続されている。
【００３１】
コントローラ２１は、コントロールプログラムによりオーブン電子レンジ２の各部を制御する（この制御の詳細は後述する）。
また、同図に示すＲＯＭ２２には、上記コントロールプログラムが格納されている。また、ＲＡＭ２３には、コントローラ２１が用いるワークエリアや、携帯電話機１から与えられるバーコードの画像データから得られるコード情報（一例として同図に示すＲＡＭのデータ内容）を格納するエリアが設定されている。
電子レンジ加熱ブロック２４は、いわゆる電子レンジとしての機能構成部分であり、オーブン加熱ブロック２５は、いわゆる電気オーブンとしての機能構成部分をなすものである。
【００３２】
ＩｒＤＡ送受信部２６は、ＩｒＤＡ（Ｉｎｆｒａｒｅｄ Ｄａｔａ Ａｓｓｏｃｉａｔｉｏｎ）規格に基づく赤外線通信を行う無線インターフェースである。
日付タイマー２７は、現在の日時を計時するタイマーであり、携帯電話機１から与えられるコードの情報（調理条件）に含まれる調理開始日時と比較するために使用される。この日付タイマー２７が計時する日時のデータは、ＲＡＭ２３に格納される。
【００３３】
ＬＣＤタッチパネル２８は、現在日付・時刻や、携帯電話機１から与えられる情報（調理条件）等の表示や賞味期限切れ等の情報の表示やその他操作用表示等を行うためのＬＣＤ（Ｌｉｑｕｉｄ Ｃｒｙｓｔａｌ Ｄｉｓｐｌａｙ）と、上記操作用表示に含まれる調理開始を指示するためのＳＴＡＲＴ表示や調理・その他の中止を指示するためのＳＴＯＰ表示や調理条件を変更するための編集用表示等に対応してその入力を受け付ける入力デバイスとして設けられるタッチパネルとから構成されている。
ブザー２９は、調理完了を知らせたり、警告音を発するためのものである。
以上のように、本応用例のオーブン電子レンジ２は、ＩｒＤＡ送受信部２６、日付タイマー２７を備える点を除き、一般的なオーブン電子レンジと同様の構成となっている。
【００３４】
ここで、賞味期限や、加熱方法ならびにその加熱出力の強度と加熱時間を規定する調理条件のコード化について説明する。
【００３５】
【表１】
2005006282.tif 000003
表１は、加熱方法のコード化例を示している。ここで言う加熱方法は、電子レンジによる加熱と、オーブンによる加熱（オーブンベイク）と、余熱による加熱の別を言い、この例では、それぞれにコード１，２，０を割り当てている。
【００３６】
【表２】
2005006282.tif 000004
表２は、加熱出力の強度（出力強度）のコード化例を示している。この例では、０Ｗから１０００Ｗまで１００Ｗ単位にそれぞれ０〜１０のコードを割り当てている。
【００３７】
【表３】
2005006282.tif 000005
表３は、加熱時間（調理時間）のコード化例を示している。この例では、０分から６０分まで１分単位にそれぞれ００，０１，〜６０のコードを割り当て、０秒から５９秒まで１秒単位にそれぞれ００，０１，〜５９のコードを割り当てている。
また、食品名や賞味期限に対しても所定のコードを割り当てる。
【００３８】
本応用例では、コード化された食品名と、賞味期限と、加熱方法および出力強度および調理時間からなる調理方法は、国際ＥＡＮ（Ｅｕｒｏｐｅａｎ Ａｒｔｉｃｌｅ Ｎｕｍｂｅｒ）協会で標準化されているＥＡＮ−１２８ ＣＯＤＥ−Ｃによるバーコードを用いて表すものとする。このＥＡＮ−１２８ ＣＯＤＥ−Ｃでは、１つのバーパターンで２桁の数字を表すことができるので、調理方法のコード、オーブン電子レンジ２の出力強度のコード、調理時間のコード等を、比較的短いバーコード長で構成することが可能である。
【００３９】
このＥＡＮ−１２８ ＣＯＤＥ−Ｃのデータ形式は、アプリケーション識別子（ＡＩ：Ａｐｐｌｉｃａｔｉｏｎ Ｉｄｅｎｔｉｆｉｃａｔｉｏｎ）という各データ項目毎に定められるコードと、それに対応するデータの内容の組み合わせで表示する形式となっており、一つのバーコードに二個以上のデータ項目を同時に表示できる特長を持っている。
ここでは、アプリケーション識別子として、図１３に示すコード（食品名：０１、賞味期限：１５、調理方法：３０）を用いる。
【００４０】
例えば、調理方法が、電子レンジ（コード“１”）で出力６００Ｗ（コード“６”）・加熱時間３分（コード“０３”）０秒（コード“００”）、続いてオーブン（コード“２”）で出力８００Ｗ（コード“８”）・加熱時間２分（コード“０２”）０秒（コード“００”）、余熱調理（コード“０”）で調理時間１分（コード“０１”）３０秒（コード“３０”）である場合、この調理方法は、“１６０３００２８０２０００００１３０”のようにコード化される。なお、余熱加熱時の出力強度は０Ｗであり、そのコードは“０”である。さらに賞味期限が‘０３年２月７日の場合、そのコードは“０３０２０７”となる。また、調理する食品がグラタンで、そのコードが“０４”である場合、食品名、賞味期限、調理方法からなるコード全体を、ＥＡＮ−１２８ ＣＯＤＥ−Ｃによるバーコードフォーマットで表現すると、図１４のようになる。なお、チェックデジット“９７”は、ＥＡＮ−１２８ ＣＯＤＥ−Ｃにおいて標準のモジュラス１０３の計算方法による。
【００４１】
本応用例では、携帯電話機１が図１４に示すようなバーコードを撮像することによりバーコードを読み取る。この撮像の際、前述のようにバーコード用のフレームを用いて撮像しバーコード部分以外をフレームアウトさせた画像データを得る。そして、このバーコードの画像データもしくはこの画像データに画像処理を施して抽出されるコントラストパターンデータまたはこのコントラストパターンデータからＥＡＮ−１２８ ＣＯＤＥ−Ｃ規格に従ってデコードを行って得られるキャラクタ（英数字／記号）・コードの列（コード情報）を、赤外線通信によりオーブン電子レンジ２に与える。
【００４２】
バーコードの画像データそのもの、もしくはこの画像データから得たコントラストパターンデータをオーブン電子レンジ２に与える場合は、上記デコードはオーブン電子レンジ２にて行う。以下では、携帯電話機１が、バーコードの画像データをオーブン電子レンジ２に与え、オーブン電子レンジ２にてそのコントラストパターンデータの抽出並びに上記デコードを行うものとする。オーブン電子レンジ２は、以上のようにして与えられたバーコードの画像データから、食品名、賞味期限、調理方法の情報を得る。
【００４３】
次に、携帯電話機１を利用するオーブン電子レンジ２の動作について、図１５〜１８を参照し説明する。
はじめに、使用者が、携帯電話機１を用いて、バーコード用のフレームを選択し、食品のパッケージ等のバーコード印刷部分を、選択したフレーム内に入るように撮像する（ステップＳ１１１）。ここで撮像されたバーコードは、前述のように上記フレーム内のみが有効な画像データとなる。
次いで、使用者が、データ送信のための所定の操作をすると、上記画像データがオーブン電子レンジ２に送信される（ステップ１１２）。
【００４４】
オーブン電子レンジ２は、携帯電話機１から上記バーコードの画像データを受信すると（ステップＳ２０１）、この画像データからそのコントラストパターンデータを抽出するとともに、ＥＡＮ−１２８ ＣＯＤＥ−Ｃ規格に基づきデコードを行い、食品名、賞味期限、調理方法、チェックデジットを示すコード情報を得る（ステップＳ２０２）。
【００４５】
そして、チェックデジットによる誤りの検査がなされ、ここで誤りがあると判定されると（ステップＳ２０３の判断でＮＧの判定）、ＬＣＤタッチパネル２８にバーコードの読み取りのやり直しを指示する表示をし（ステップＳ２０４）、ステップＳ２０１に戻る。
一方、ステップＳ２０３の判断でＯＫの判定がなされると、ステップＳ２０５にて、上記賞味期限と、日付タイマー２７から得られる現在日付とを比較する。
このステップＳ２０５の比較判断で、賞味期限切れであると判定されると、ステップＳ２０６に移行し、ＬＣＤタッチパネル２８に賞味期限切れであることを表示して、さらにブザー２９により警告音を発する。そして、ステップＳ２０７に移行する。
【００４６】
一方、ステップＳ２０５の比較判断で現在日付が賞味期限内であると判定されると、そのままステップＳ２０７に移行する。このステップＳ２０７では、ＬＣＤタッチパネル２８に、読み取ったバーコードから得られた情報（食品名、賞味期限、調理方法）を表示する（図１８参照）。ここでは、さらに、現在日付が賞味期限より何日過ぎているかを算出して、その情報もＬＣＤタッチパネル２８に表示するようにしてもよい。
ステップＳ２０７で表示される賞味期限、調理方法（電子レンジ／オーブンの動作モード、加熱出力の強度、加熱時間）は、ＬＣＤタッチパネル２８にて編集可能であり、ステップＳ２０８にて、そのための入力を受け付ける。ここでは、使用者は、ＬＣＤタッチパネル２８の表示を確認し、必要に応じて編集のための操作を行う。
【００４７】
次いで、使用者が、調理開始を指示するため、ＬＣＤタッチパネル２８のＳＴＡＲＴ表示をタッチすると（ステップＳ２０９）、ステップＳ２１０にて、上記賞味期限と、日付タイマー２７から得られる現在日付とをさらに比較する。
ステップＳ２１０の比較判断で、賞味期限切れであると判定されると、ステップＳ２１１にて、ＬＣＤタッチパネル２８に賞味期限切れであることを表示し、一連の処理を終了する。
【００４８】
一方、ステップＳ２１０の比較判断で、現在日付が賞味期限内であると判定されると、調理を開始し（ステップＳ２１２）、調理が完了するまで（ステップＳ２１３の判断にてＹＥＳと判定されるまで）与えられた調理方法に従って調理を行う。ここでは、与えられた調理方法に規定された通りに、電子レンジ／オーブンの動作モードの切り替えを連続的に行うとともに、加熱出力の強度と加熱時間を連続的に変化させて調理を行う。
そして、ステップＳ２１３の判断で、調理完了と判定されると（この判断でＹＥＳの判定）、ＬＣＤタッチパネル２８に“出来上がり”の表示をし（ステップＳ２１４）、すべての処理を終了する。
【００４９】
上記オーブン電子レンジ２は、与えられた調理条件を任意に変更することができるので、使用者は、自身やその他の者の好みにも対応した最適な調理を行うことができる。一方、バーコードにより与えられた調理条件でかまわなければ、この調理条件に従ってそのまま自動的に調理され、調理を簡単に済ませることができる。また、賞味期限に対する判断も自動化して、現在日付が賞味期限を過ぎている場合には、その旨が自動的に通知される一方、現在日付が賞味期限内である場合に調理が行われるので、安全で経済的な使用が可能となる。また、手動では困難であった最適な調理を自動化できる。
以上、本発明の一実施の形態である携帯電話機１を利用して、調理を自動化するオーブン電子レンジ２に対し、調理条件を示すバーコードの読み取りとそのデータを与える応用例について説明した。
【００５０】
次に、本発明のカメラ付き携帯電話機の他の実施の形態について説明する。
以下に説明するカメラ付き携帯電話機１のハードウェア構成は、前述のカメラ付き携帯電話機１と同様であり（図１参照）、その説明は省略する。
本実施の形態は、カメラ付き携帯電話機１のＬＣＤ表示パネル１０ｃに表示されるフレーム枠（後述）を写真プリントにも写し込むことで、仕上がりが早く安価な例えばＬ版サイズ（サービスサイズ）の写真プリントから、証明写真等の任意サイズの写真を得ることを目的とするものである。
【００５１】
前述した形態のカメラ付き携帯電話機１との違いは、例えば、Ｌ版サイズの写真プリント上に、適正規格サイズの証明用写真として使える部分が仕上がるように画像データを加工する。具体的には、適正規格サイズで規定される範囲を比例縮小したフレーム枠をデジタルカメラのＬＣＤ表示パネル１０ｃに表示させる。そして、被写体がこのフレーム枠に入るようにユーザが撮像操作（撮影）を行うと、写真プリント時にこのフレーム枠（ここでは適正規格サイズの範囲を示す枠）もプリントされるように、このフレーム枠に対応する切り取り線データ（例えば、白枠となるように白レベルのデータや破線を示すためのデータ等）を写真データに重ね書きする。さらには、前述の実施形態のように、適正規格サイズの範囲を示すフレーム枠の外側を白レベル等のデータ（余白データ）に置換し、外側を余白としてプリントできるようにする。
【００５２】
ここで、フレーム枠の設定の仕方について説明する。
なお、以下では、ＬＣＤ表示パネル１０ｃに表示された画像データをもとにプリントがなされるものとする。また、本実施の形態におけるフレーム枠は、後述の切り取り線にも対応するものであり、前述の実施の形態における矩形の枠を含んで、この枠のラインを延長したラインをも含むものである（図２４：縦フレーム枠、横フレーム枠参照）。また、以下では、カメラ付き携帯電話機１本体を横向きにして撮影を行うものとして説明する。
【００５３】
図２１に示すようにＬＣＤ表示パネル１０ｃの画面の縦横比０．７４に対して、図２２に示すＬ版サイズプリントの縦横比は０．７となっており、Ｌ版サイズプリントの方が長手方向に細長い形状になっている。このため、イメージセンサー１１により撮像されＬＣＤ表示パネル１０ｃに表示される画像データをＬ版サイズにプリントする揚合は、ＬＣＤ表示パネル１０ｃの画面の長手方向をＬ版サイズの長手方向に合わせて拡大プリントを行い、短手方向の両端はＬ版サイズのプリント上ではカットしている。
このことから、図２１に示すＬＣＤ表示パネル１０ｃの画面長手方向の寸法３８ｍｍと図２２に示すＬ版サイズプリントの長手方向の寸法１２６ｍｍとの比１２６／３８＝３．３１が、ＬＣＤ表示パネル１０ｃの画面からＬ版サイズプリントヘの拡大比率となる。
【００５４】
ＬＣＤ表示パネル１０ｃの画面サイズ縦２８ｍｍ×横３８ｍｍのカメラ付き携帯電話機１で撮像した画像データをＬ版サイズにプリントした場合、Ｌ版サイズのプリント上で任意のサイズ横Ａｍｍ、縦ＢｍｍをＬＣＤ表示パネル１０ｃの画面に対応させてフレーム表示するには、ＬＣＤ表示パネル１０ｃの画面上のフレーム枠寸法を横Ｃｍｍ、縦Ｄｍｍとすると（図２３参照）、
Ｃ＝Ａ÷３．３１、
Ｄ＝Ｂ÷３．３１、
で規定できる。
【００５５】
例えば、パスポート用証明写真として規定された横４０ｍｍ、縦５０ｍｍの寸法は、ＬＣＤ表示パネル１０ｃの画面上では、
Ｃ＝４０ｍｍ÷３．３１＝１２．１ｍｍ、
Ｄ＝５０ｍｍ÷３．３１＝１５．１ｍｍ、
となる。このようにして決定したフレーム枠を示したのが図２４であり、履歴書証明写真用（プリント仕上がりサイズ３５ｍｍ×２４ｍｍ）を示すのが図２５である。
【００５６】
次に、フレーム枠の選択（ここでは適正規格サイズの選択）方法について、図２６、２７を参照し説明する。
図２６、２７では、ＬＣＤ表示パネル１０ｃの表示画面と、キーボード１０ｂに含まれる、ＬＣＤ表示パネル１０ｃに表示された設定画面の選択項目を選択するための矢印パッド１０ｂ−１と選択した項目を確定するためのセットボタン１０ｂ−２を図示している。なお、ここでは、撮影モードが、証明写真用の撮影を行うための証明写真モード（後述）になっているものとする。
【００５７】
図２６では、ＬＣＤ表示パネル１０ｃの画面に適正規格サイズを選択するための設定画面（同図の例では、パスポート写真、履歴書写真、任意サイズ）が表示された状態を示している。ここで、矢印パッド１０ｂ−１とセットボタン１０ｂ−２を操作して「任意サイズ」が選択されると図２７に示す画面に移行する。図２７では、デフォルトの設定として縦２．４ｃｍ、横３．５ｃｍが表示されている。
【００５８】
このとき、矢印パッド１０ｂ−１の操作で縦サイズか横サイズをハイライトさせ（選択する方を矢印パッド１０ｂ−１の操作でハイライトさせる）、セットボタンを押して確定する。すると、サイズ数値がハイライトする（図２７に示す例では、太字で示す“３”）。さらに、矢印パッド１０ｂ−１の横矢印を操作して桁を選択し、さらに上下の矢印を操作して数値を増減させる。例えば、上の矢印を押すと数値が増加し下の矢印を押すと数値が減少する。このような操作で縦サイズと横サイズの数値を選択し、セットボタンを押して確定する。すると、図２３に示す撮影フレーム画面が表示される。
【００５９】
以上、証明用写真を撮影する場合（証明写真モード）の例について説明したが、この証明写真モードは、図２８に示す撮影モード設定画面から選択される。図２８に示す例では、通常写真モード、証明写真モード、風景写真モードの３種の撮影モードが選択できるようになっている。通常写真モードは、イメージセンサー１１により撮像された画像をそのまま取り込むモードである。
【００６０】
ここで風景写真モードについて、図２９を参照し説明する。
図２８において、矢印パッド１０ｂ−１とセットボタン１０ｂ−２の操作により風景写真モードが選択されると、図２９に示す風景撮影用方眼フレームがＬＣＤ表示パネル１０ｃに表示される。この風景撮影用方眼フレームは、風景撮影時に画面を水平に撮影するため、あるいは垂直に撮影するため、バランスの良い画面フレームで撮影するために使用される。この風景写真モードでは、風景撮影用方眼フレームデータ（フレーム枠のデータ）は撮像された画像データに記録されない。
【００６１】
次に、前述の証明用写真撮影時におけるカメラ付き携帯電話機１のコントローラ１４が実行する処理の詳細について、図３０〜３３を参照し説明する。
【００６２】
図３０に、イメージセンサー１１の画素（ピクセル）とフレーム枠の関係を示す。ここでは、説明を簡単にするため、イメージセンサー１１が構成するフレームを、Ｙ方向のピクセルを１〜１６、Ｘ方向のピクセルを１〜２２からなるものとする。図３０に示す例では、ピクセル（８，５）、（８，１２）、（１７,１２）、（１７，５）の各点で囲まれた範囲が、プリント時に証明用写真として切り取れる範囲である。
【００６３】
イメージセンサー１１により撮像された画像データは、（１，１）、（１，２）、〜（２，１）、（２，２）、（２，３）〜（２２，１６）の順番でイメージセンサー１１より読み出されるものとする。ただし、フレーム枠内に相当する（８，５）〜（８，１２）、（９，５）〜（９，１２）、〜（１７，５）〜（１７，１２）の画像データを読み出す場合に“１”との論理積をとり、フレーム枠外の画像データを読み出す場合は“０”との論理積をとる。さらに、フレーム枠を示すライン（７，Ｙ）、（１８，Ｙ）、（Ｘ，４）、（Ｘ，１３）は破線を形成するデータを挿入する。破線を形成するためのデータは、２種の数値データからなり、破線を形成するため、フレーム枠を含むライン上の所定数のピクセル毎に交互に２種の数値データを入れ替え挿入する。
【００６４】
ここで、図３１に示すフローチャートに基づき上記処理の詳細を説明する。
はじめに、変数Ｘ，Ｙ，Ａ，Ｂに初期値として“１”を代入する（ステップＳ３０１）。ここで、Ｘ，Ｙは、それぞれ、イメージセンサー１１上のピクセルが構成するフレームのＸ座標、Ｙ座標に対応し、（Ｘ，Ｙ）はこのＸ座標、Ｙ座標の画素データ（イメージセンサー１１の出力データ）を意味する。またＡ，Ｂは、同様に上記Ｘ座標、Ｙ座標に対応するが、（Ａ，Ｂ）は、イメージセンサー１１から読み出された画素データに下記の処理を施すデータであって、プリント時の画像データとして使用するものである。
【００６５】
ステップＳ３０１の初期化後、処理対象のピクセルが、Ｘ軸上で設定されたフレーム枠の外側にあるか否か判断をする（ステップＳ３０２）。図３１の例では、Ｘ＜７またはＸ＞１８であるか否か判断している。
ステップＳ３０２の判断で、処理対象のピクセルが、フレーム枠の外側にあると判定されると（ステップＳ３０２でＹＥＳの判定）、ステップＳ３０３へ移行し、白枠処理を行う。ここでは、当該ピクセルのデータ（Ｘ，Ｙ）と“０”との論理積をとり、（Ａ，Ｂ）に代入している。
【００６６】
一方、ステップＳ３０２の判断で、処理対象のピクセルが、フレーム枠の外側ではないと判定されると（ステップＳ３０２でＮＯの判定）、ステップＳ３０４へ移行する。このステップＳ３０４では、さらに、処理対象のピクセルが、Ｙ軸上で設定されたフレーム枠の外側にあるか否か判断をする。図３１の例では、Ｙ＜４またはＹ＞１３であるか否か判断している。
【００６７】
ステップＳ３０４の判断で、処理対象のピクセルが、フレーム枠の外側にあると判定されると（ステップＳ３０４でＹＥＳの判定）、ステップＳ３０３へ移行し、前述の白枠処理を行う。
一方、ステップＳ３０４の判断で、処理対象のピクセルが、フレーム枠の外側ではないと判定されると（ステップＳ３０４でＮＯの判定）、ステップＳ３０５へ移行する。
【００６８】
ステップＳ３０５では、処理対象のピクセルがフレーム枠上のピクセルか否かの判断をする。図３１に示す例では、Ｘ＝７か、Ｘ＝１８か、Ｙ＝４か、Ｙ＝１３である場合に、処理対象のピクセルがフレーム枠上にあるとしてＹＥＳと判定してステップＳ３０６へ移行し、その他の場合はＮＯと判定しステップＳ３０７へ移行する。
【００６９】
ステップＳ３０６では、フレーム枠上に破線を形成するため処理対象のピクセルに所定のデータを挿入し、一方、ステップＳ３０７では、処理対象のピクセルの画像データを保持する。図３１の例では、座標（Ｘ，Ｙ）の画素データに“１”との論理積の値を代入している。
以上の処理後、ステップＳ３０８へ移行する。
【００７０】
以後、ステップＳ３０８、Ｓ３１０の判断と、ステップＳ３０９、Ｓ３１１において処理の対象とする画素データの座標を１ずつシフトすることにより、Ｙ軸方向の下限であるＹ＝１から上限であるＹ＝１６までのそれぞれに対し、Ｘ軸方向の下限であるＸ＝１から上限であるＸ＝２２まで、対応する上記画素データについて以上の処理を行う。
なお、ステップＳ３０３，Ｓ３０７における演算子“＊”は、論理積を表す。
【００７１】
以上の処理により、フレーム枠外の画像データは、全て“０”となり、図３０に示すように、（７，Ｙ）、（１８，Ｙ）、（Ｘ，４）、（Ｘ，１３）、ただしＸ，Ｙは任意、の各ラインには破線が形成される。
なお、上記で説明した動作フローは、具体的な一例を説明するものであって、本発明は上記の処理の流れに限定されるものではない。
【００７２】
図３２に示す被写体を撮影し、上記のようにして加工された画像データをプリントした写真の例（概略図）を図３３に示す。この図に示すように、撮像された画像データの内、ＬＣＤ表示パネル１０ｃに表示されたフレーム枠で囲まれた画像のみがプリントされ、フレーム枠の外側は余白、フレーム枠は破線でプリントされる。この破線は、切り取り線を示す。利用者は、ハサミやカッターナイフでこの写真を切り取り線にそって切り取ることにより、適正規格サイズや任意サイズの写真に仕上げることができる。なお、上記例では、フレーム枠の外側を余白としているが、上記白枠処理を省き、フレーム枠部分のみ切り取り線を示すように処理してもよい。
【００７３】
以上に説明したように、上記実施の形態では、証明用写真が１枚必要なとき、１枚のＬ版サイズ（サービスサイズ）のみですみ、写真店等を利用する場合に比べ、無駄な写真が発生せず、コストも低減できる。
また、現在では、インターネットを介したプリントサービスがあり、カメラ付き携帯電話機１で撮影した画像データを送付し、写真配送サービスを利用することができ、写真店や証明写真ブースに出向く必要がない。
【００７４】
また、複数枚写真を撮影して、気に入った写真を選択して証明用写真にできる。この場合、銀塩写真と異なり複数枚写真を撮影しても余分なコストはかからない。
また、従来、カメラ付き携帯電話機で、横長フレームの写真を得る場合は、カメラ付き携帯電話機を縦から横向きに持ち代えて撮影していたが、上記実施形態のカメラ付き携帯電話機１では、ＬＣＤ表示パネル１０ｃに横長のフレーム枠を表示することで、このカメラ付き携帯電話機１を縦位置に構えたままで、横長フレームの写真を得ることも可能である。
【図面の簡単な説明】
【００７５】
【図１】本発明の一実施の形態であるカメラ付き携帯電話機の概略構成を示すブロック図である。
【図２】ＪＡＮバーコード用フレーム表示例である。
【図３】その他の拡張型バーコード用フレーム表示例である。
【図４】２次元コード用フレーム表示例である。
【図５】スクエアタイプ（６×６判タイプ）フレーム表示例である。
【図６】セミ判タイプ（６×４．５判タイプ）フレーム表示例である。
【図７】シネマサイズ（ハーフ判サイズ）フレーム表示である。
【図８】同実施の形態のカメラ付き携帯電話機の動作を説明するための図である。
【図９】同実施の形態のカメラ付き携帯電話機の動作フローチャートの一例である。
【図１０】バーコード撮像時の動作を説明する図である。
【図１１】同実施の形態のカメラ付き携帯電話機を利用する応用例を説明する図である。
【図１２】同応用例におけるオーブン電子レンジの概略構成を示すブロック図である。
【図１３】同応用例で用いるバーコードのアプリケーション識別子の一例である。
【図１４】同応用例で用いるバーコード（全体）の一例である。
【図１５】同応用例におけるカメラ付き携帯電話機の動作フローチャートである。
【図１６】同応用例におけるオーブン電子レンジの動作フローチャートである。
【図１７】同応用例におけるオーブン電子レンジの動作フローチャートである。
【図１８】同応用例におけるＬＣＤタッチパネルの表示例である。
【図１９】従来のカメラ付き携帯電話機における撮像例を示す図である。
【図２０】従来のカメラ付き携帯電話機における撮像例（バーコード）を示す図である。
【図２１】ＬＣＤ表示パネル画面の縦横比例を示す図である。
【図２２】Ｌ版サイズプリントの縦横比を示す図である。
【図２３】他の実施形態におけるＬＣＤ表示パネル上のフレーム枠を示す図である。
【図２４】他の実施形態におけるパスポート用証明写真に対応するフレーム枠を示す図である。
【図２５】他の実施形態における履歴書証明写真用のフレーム枠を示す図である。
【図２６】他の実施形態におけるフレーム枠の選択方法について説明する図である。
【図２７】他の実施形態におけるフレーム枠の選択方法について説明する図である。
【図２８】他の実施形態におけるフレーム枠の選択方法について説明する図である。
【図２９】他の実施形態における風景写真モードについて説明する図である。
【図３０】他の実施形態におけるイメージセンサーの画素とフレーム枠の関係を示す図である。
【図３１】他の実施形態における動作フローチャートの一例である。
【図３２】他の実施形態における撮影時の被写体とフレーム枠の表示例を示す図である。
【図３３】他の実施形態におけるプリント結果の一例を示す図である。
【符号の説明】
【００７６】
１…カメラ付き携帯電話機（カメラ付き携帯端末）、１０…携帯電話機能ブロック、１０ａ…携帯電話通信モジュール、１０ｂ…キーボード、１０ｂ−１…矢印ボタン、１０ｂ−２…セットボタン、１０ｃ…ＬＣＤ表示パネル、１１…イメージセンサー、１２，２６…ＩｒＤＡ送受信部、１３…フレームＲＯＭ、１４，２１…コントローラ、１５，２２…ＲＯＭ、１６，２３…ＲＡＭ、２…オーブン電子レンジ、２４…電子レンジ加熱ブロック、２５…オーブン加熱ブロック、２７…日付タイマー、２８…ＬＣＤタッチパネル、２９…ブザー
【図１】
2005006282.tif 000006
【図２】
2005006282.tif 000007
【図３】
2005006282.tif 000008
【図４】
2005006282.tif 000009
【図５】
2005006282.tif 000010
【図６】
2005006282.tif 000011
【図７】
2005006282.tif 000012
【図８】
2005006282.tif 000013
【図９】
2005006282.tif 000014
【図１０】
2005006282.tif 000015
【図１１】
2005006282.tif 000016
【図１２】
2005006282.tif 000017
【図１３】
2005006282.tif 000018
【図１４】
2005006282.tif 000019
【図１５】
2005006282.tif 000020
【図１６】
2005006282.tif 000021
【図１７】
2005006282.tif 000022
【図１８】
2005006282.tif 000023
【図１９】
2005006282.tif 000024
【図２０】
2005006282.tif 000025
【図２１】
2005006282.tif 000026
【図２２】
2005006282.tif 000027
【図２３】
2005006282.tif 000028
【図２４】
2005006282.tif 000029
【図２５】
2005006282.tif 000030
【図２６】
2005006282.tif 000031
【図２７】
2005006282.tif 000032
【図２８】
2005006282.tif 000033
【図２９】
2005006282.tif 000034
【図３０】
2005006282.tif 000035
【図３１】
2005006282.tif 000036
【図３２】
2005006282.tif 000037
【図３３】
2005006282.tif 000038